(57)【要約】      （修正有）【課題】作動時のファンモータの振動がファンに伝わり、特に低速の場合、かなり耳障りな音響雑音を発生させるのを防止する。【解決手段】電動ファン１は、軸流ファンを駆動する電気モータ５を有する。このファンは、カップ形状のハブ９を有し、ハブは、前壁９ａと、複数の外側ブレード１０が延びている側壁９ｂとを有する。モータは、ハブの前壁が取り付けられるロータキャップ８を含む外部ロータを有する。ハブの内面９ｄ及び／又はロータキャップの外面から突出部２０，２１が延出し、ファンがロータに対して所定の大きさで振動すると、突出部はロータキャップ及び／又はハブに突き当たり、ロータに対するファンの振動の大きさを制限する。【選択図】図３
2015206364.tif 000002
【特許請求の範囲】
【請求項１】
外部ロータ及び内部ステータを含む電気モータと、
実質的にカップ形状の中心ハブを含む軸流ファンであって、前記ハブは、前記ロータに対向して連結される前壁と、前記ロータを取り囲み、複数の外側ブレードが延びている側壁とを有する、軸流ファンとを備える電動ファンであって、
突出部が前記ファンの前記ハブの内面及び／又は前記ロータの外面から延出し、
前記ファンが前記ロータに対して所定の大きさで振動すると、前記突出部は前記ロータ及び／又は前記ハブに突き当たり、前記ロータに対する前記ファンの振動の大きさを制限することを特徴とする電動ファン。
【請求項２】
前記電気モータの前記ロータは、前記ファンの前記ハブ内部に延びて前記ハブの前記前壁の近くまで延在するキャップを有し、前記キャップは、それぞれの弾性振動ダンパを含む１つ以上の連結装置によって、前記前壁に連結されることを特徴とする、請求項１に記載の電動ファン。
【請求項３】
前記連結装置のそれぞれは、前記ハブの貫通開口部に配置される弾性材料の環状ダンパ部材を備え、固締部材が前記ダンパ部材を貫通して、前記ハブを前記ロータの前記キャップに固締することを特徴とする、請求項２に記載の電動ファン。
【請求項４】
前記弾性材料はエラストマ材料であることを特徴とする、請求項３に記載の電動ファン。
【請求項５】
各ダンパ部材と対応する前記固締部材との間に、実質的に硬質材料の管状要素が設けられることを特徴とする、請求項３又は４に記載の電動ファン。
【請求項６】
前記実質的に硬質材料は金属材料であることを特徴とする、請求項５に記載の電動ファン。
【請求項７】
前記固締部材は、端頭部を有するねじ又はボルトであり、前記硬質管状要素は、一端に、対応する前記ねじ又はボルトの頭部と前記ダンパ部材との間に設けられるフランジ状部を有することを特徴とする、請求項５又は６に記載の電動ファン。
【請求項８】
前記弾性ダンパ部材は、実質的に円筒リングの形状であり、前記ハブの前記貫通開口部の端縁が係合する外周溝を有することを特徴とする、請求項１〜７のいずれか１項に記載の電動ファン。
【請求項９】
前記ファンの前記ハブは軟質材料で形成され、前記モータの前記ロータは、前記ファンの前記ハブ内部に延びて前記ハブの前記前壁の近くまで延在するキャップを有し、前記キャップは、１つ以上の連結装置によって、前記前壁に連結されることを特徴とする、請求項１に記載の電動ファン。
【発明の詳細な説明】
【技術分野】
【０００１】
本発明は、電気モータによって駆動されるファンに関し、特に、自動車の熱交換器（ラジエータ等）のための電動ファンに関する。
【背景技術】
【０００２】
より詳細には、本発明の対象は、外部ロータ及び内部ステータを有する電気モータと、実質的にカップ形状の中心ハブを含む軸流ファンであって、前記ハブは、前記ロータに対向して連結される前壁と、前記ロータを取り囲み、複数の外側ブレードが延びている側壁とを有する、軸流ファンとを備える型の電動ファンである。
【０００３】
このような電動ファンのモータは、作動時に、かなりの振動を発生し、この振動はファンに伝わり、特に低速の場合、かなり耳障りな音響雑音を発生させる。
【０００４】
この欠点を解決するため、本出願人は、弾性振動ダンパを含む１つ以上の連結装置によって、ファンのハブをモータのロータに連結してみた。
【０００５】
他の公知の解決法として、代わりに、少なくともファンのハブを軟質材料で形成する。軟質材料は、その性質上、モータが発生する振動の少なくとも一部を減衰させやすく、振動ダンパ要素を備える連結装置という手段を用いずに済む。
【０００６】
振動ダンパを備える連結装置、又は少なくとも一部が軟質材料からなるハブを有するファンを採用すると、以下のような欠点を伴う。すなわち、このような電動ファンを設置した自動車が強い角加速度を受けると、ファンは著しく大きく振動しやすくなり、周囲の物体や装置（例えば、ファンが関連する熱交換器等）に衝突する場合がある。
【発明の概要】
【発明が解決しようとする課題】
【０００７】
したがって、以上概略説明したような問題を解決するようになされた、この種の電動ファンが望まれる。
【課題を解決するための手段】
【０００８】
これは、本発明において、ファンのハブの内面及び／又はモータのロータの外面から突出する突出部を用いることによって、ファンがロータに対して所定の大きさで振動すると、突出部がロータ及び／又はハブに突き当たり、ロータに対するファンの振動の大きさを制限することによって、達成される。
【０００９】
したがって、本発明は、その一態様において、外部ロータ及び内部ステータを含む電気モータと、実質的にカップ形状の中心ハブを含む軸流ファンであって、前記ハブは、前記ロータに対向して連結される前壁と、前記ロータを取り囲み、複数の外側ブレードが延びている側壁とを有する、軸流ファンとを備える電動ファンを提供し、ここで、突出部が前記ファンの前記ハブの内面及び／又は前記ロータの外面から延出し、前記ファンが前記ロータに対して所定の大きさで振動すると、前記突出部は前記ロータ及び／又は前記ハブに突き当たり、前記ロータに対する前記ファンの振動の大きさを制限する。
【００１０】
前記電気モータの前記ロータは、前記ファンの前記ハブ内部に延びて前記ハブの前記前壁の近くまで延在するキャップを有し、前記キャップは、それぞれの弾性振動ダンパを含む１つ以上の連結装置によって、前記前壁に連結されることが好ましい。
【００１１】
前記各連結装置のそれぞれは、前記ハブの貫通開口部に配置される弾性材料の環状ダンパ部材を備え、固締部材が前記ダンパ部材を貫通して、前記ハブを前記ロータの前記キャップに固締することが好ましい。前記弾性材料はエラストマ材料にすることができる。
【００１２】
各ダンパ部材と対応する前記固締部材との間に、実質的に硬質材料、例えば、金属材料の管状要素が設けられることが好ましい。
【００１３】
前記固締部材は、端頭部を有するねじ又はボルトであり、前記硬質管状要素は、一端に、対応する前記ねじ又はボルトの頭部と前記ダンパ部材との間に設けられるフランジ状部を有することが好ましい。
【００１４】
前記弾性ダンパ部材は、実質的に円筒リングの形状であり、前記ハブの前記貫通開口部の端縁が係合する外周溝を有することが好ましい。
【００１５】
代替例として、前記ファンの前記ハブは軟質材料で形成され、前記モータの前記ロータは、前記ファンの前記ハブ内部に延びて前記ハブの前記前壁の近くまで延在するキャップを有し、前記キャップは、１つ以上の連結装置によって、前記前壁に連結される。
【図面の簡単な説明】
【００１６】
【図１】本発明の好ましい実施形態による電動ファンの正面図である。
【図２】特に、図１の電動ファンのハブを拡大して示す部分斜視図である。
【図３】図２の線ＩＩＩ−ＩＩＩに沿った部分断面図である。
【図４】図３と類似の一変形実施形態を示す部分断面図である。
【発明を実施するための形態】
【００１７】
ここで、添付図面の図を参照して、単なる例示として本発明の好ましい実施形態を説明する。図において、複数の図に現れる同一の構造体、要素又は部品は、一般に、それらが現れる全ての図において同じ符号で表記される。図内に示される構成部品及び構造部の寸法は、一般に、便宜のため及び提示の明確さのために選択されたものであり、必ずしも縮尺通りではない。
【００１８】
各図において、本実施形態による電動ファン全体を符号１で示す。
【００１９】
電動ファン１は、それ自身は公知のように、ファン（全体を符号４で示す）が回転可能に取り付けられる円形の主開口部３を有する実質的に板状の支持構造体すなわちシュラウド２を備える。ファン４は、電気モータのロータに連結される。尚、この電気モータは、図１及び図２では見えないが、図３には一部を図示し、図中、全体を符号５で示す。
【００２０】
電気モータ５は、それ自身は公知の方法で、例えば、複数のスポーク（図１において符号７で示す）によって、支持構造体すなわちシュラウド２に固定されるステータ６を備える。モータ５は、更に、キャップ（図３において符号８で示す）を含むロータを備える。
【００２１】
ファン４は、複数の湾曲ブレード１０が延びている中心ハブ９を備え、ブレード１０の最外端は外周リング１１に結合する（図１参照）。ハブ９は、１つ以上の連結点又は連結領域で、ロータキャップ８に連結される。
【００２２】
各図の例示的な実施形態では、ハブ９は、ファンの軸Ｘ−Ｘから同じ距離ｄだけ離れて配置される３つの連結点又は連結領域（符号１２で示す）で、モータ５のロータキャップ８に連結される（図３）。ファン４のハブ９は実質的にカップ状の形状であり、少なくとも近似的に円筒形の環状側壁９ｂに連結される前壁９ａを有する。
【００２３】
モータ５のロータキャップ８は、ハブ９内部に延びてその前壁９ａの近くまで延在し、ロータキャップ８は、それぞれの弾性振動ダンパを含む装置１３によって、上記３つの連結点又は連結領域１２で、前壁９ａに連結される。以下、より良く説明する。
【００２４】
特に図３を参照すると、各連結装置１３は、弾性材料、特にエラストマ材料（加硫ゴム）の環状ダンパ部材１４を備える。１つのダンパ部材１４又は各ダンパ部材１４は、ファンのハブ９の前壁９ａの貫通開口部９ｃに配置される。このようなダンパ部材１４は、実質的に円筒リングの形状であり、その軸方向中間部に、ファン４のハブ９の貫通開口部９ｃの端縁が係合する外周溝１４ａを有する。ファンの対応する固締部材１５は、ダンパ部材１４及び電気モータ５のロータキャップ８を貫通する。
【００２５】
固締部材１５は、例えば、端頭部１５ａを備えるねじ又はボルトである。
【００２６】
環状ダンパ部材１４とねじ又はボルト１５との間に、実質的に硬質材料、例えば金属材料などの管状要素１６が設けられる。硬質管状要素１６は、ねじ又はボルト１５の頭部１５ａと環状ダンパ部材１４の隣接する端部との間に設けられる端部フランジ部１６ａを有するのがよい。管状要素１６は、反対側で、ロータキャップ８に載っている。
【００２７】
ねじ又はボルト１５のねじ付き軸部は、これに対応してねじ切りした、ロータキャップ８の開口部に係合する。
【００２８】
図１〜図３に示す実施形態では、突出部２０及び２１が、ファン４のハブ９の内面９ｄから、ロータキャップ８の方向に延出する。これらの突出部の末端は、それぞれ、ロータキャップ８の外面から予め設定した距離だけ離れた位置まで延出し、そこで止まっている。
【００２９】
図示の例示的な実施形態では、突出部２０は、ハブ９の前壁９ａから、ロータキャップ８の対応する前壁に向かって延出する。突出部２１は、ハブの側壁９ｂの内面から、ロータキャップ８の側壁の方向に延出する。
【００３０】
ファン４がロータに対して所定の大きさで振動すると、突出部２０及び２１がロータキャップ８に突き当たり、ファン４がロータに対して行う可能性がある振動の大きさを制限するように構成されている。
【００３１】
一変形実施形態（図示せず）として、突出部をロータキャップ８の外面に設けることによって、同様の目的を達成することができる。更に別の変形例（図示せず）として、突出部をファン４のハブ９の内面及び／又はロータキャップ８の外面に形成することができる。
【００３２】
更に別の実施形態を図４に示す。
【００３３】
図４において、既述の部品及び要素に等しいか又は実質的に一致する部品及び要素には、上記で用いたのと同じ符号を付した。
【００３４】
図４の変形例では、ファン４のハブ９は、電気モータ５が発生する振動の少なくとも一部を減衰させるのに適した軟質材料で形成されている。
【００３５】
この場合も、ハブ９は、ファン４の軸Ｘ−Ｘから同じ距離ｄだけ離れて配置される複数の連結点又は連結領域１２で、モータ５のロータキャップ８に連結することができる。連結点又は連結領域１２の１つ又は各々において、ハブ９の前壁９ａは、単に座金２２を介して、対応する固締部材１５（ねじ又はボルト等）によって、ロータキャップ８に連結される。
【００３６】
図４の実施形態においても、図３を参照して以上に説明したのと同様の形状及び機能を有する突出部２０及び２１が、ファン４のハブ９の内面９ｄから延出する。
【００３７】
図４の変形例の場合も、代替例として、突出部を、ロータキャップ８の外面、又はハブ９の内面及びロータキャップ８の外面の両方に形成することができる。
【００３８】
本出願の説明及び請求項において、動詞「備える（comprise）」、「含む（include）」、「含む（contain）」及び「有する（have）」、並びにその変形形態は、説明する要素又は特徴の存在を規定するために包括的な意味で使用され、追加の要素又は特徴の存在を排除するものではない。
【００３９】
明確にするために別個の実施形態に関連して説明されている本発明の特定の特徴は、１つの実施形態において組み合わせて提供してもよいものと理解される。逆に、簡潔にするために１つの実施形態に関連して説明されている本発明の種々の特徴を、個別に又はそれらを適当に組み合わせて提供してもよい。
【００４０】
上記の実施形態は単なる例示であり、請求項に定義する本発明の範囲から逸脱することなく、他の様々な修正が可能であることは、当業者にとって明らかである。
【符号の説明】
【００４１】
１  電動ファン
２  支持構造体／シュラウド
３  主開口部
４  ファン
５  電気モータ
６  ステータ
７  スポーク
８  ロータキャップ
９  ハブ
９ａ  前壁
９ｂ  側壁
９ｃ  貫通開口部
９ｄ  内面
１０  ブレード
１１  外周リング
１２  連結点又は連結領域
１３  連結装置
１４  ダンパ部材
１４ａ  外周溝
１５  固締部材（ねじ又はボルト）
１５ａ  端頭部
１６  管状要素
１６ａ  フランジ部
２０，２１  突出部
２２  座金
【図１】
2015206364.tif 000003
【図２】
2015206364.tif 000004
【図３】
2015206364.tif 000005
【図４】
2015206364.tif 000006
【外国語明細書】
2015206364000001.pdf